(57)【要約】加入者端末機が基地局へ送信するか、又は基地局から受信するデータが存在しないスリープモードと、加入者端末機が基地局へ送信するか、又は基地局から受信するデータが存在するアウェイクモードとを有する広帯域無線接続システムを提供する。加入者端末機は、スリープモードの開始時点とアウェイクモードの開始時点との間のスリープ期間が与えられた最大ウィンドウ値に到達した後に、次のスリープモードを設定し、アウェイクモードの開始時点の後に、基地局から伝送されるデータがないことを示すトラヒック指示メッセージを受信し、スリープ要求メッセージを基地局へ伝送し、基地局からスリープ要求メッセージに対する応答メッセージを受信した後に、次のスリープモードで動作する。
2006524929.tif 000002
【特許請求の範囲】
【請求項１】
加入者端末機が基地局へ送信するか、又は前記基地局から受信するデータが存在しないスリープモードと、前記加入者端末機が前記基地局へ送信するか、又は前記基地局から受信するデータが存在するアウェイクモードとを有する広帯域無線接続通信システムにおいて、前記加入者端末機が前記スリープモードの開始時点と前記アウェイクモードの開始時点との間のスリープ期間が与えられた最大ウィンドウ値に到達した後に、前記加入者端末機が次のスリープモードを設定する方法であって、
前記アウェイクモードの開始時点の後に、前記基地局から伝送されるデータがないことを示すトラヒック指示メッセージを受信するステップと、
スリープ要求メッセージを前記基地局へ伝送するステップと、
前記基地局から前記スリープ要求メッセージに対する応答メッセージを受信するステップと、
前記次のスリープモードで動作するステップと
を含むことを特徴とする方法。
【請求項２】
前記スリープ要求メッセージに対する応答メッセージは、基地局が決定した新たな最小ウィンドウ値及び最大ウィンドウ値を含むことを特徴とする請求項１記載の方法。
【請求項３】
前記新たなウィンドウ値を受信する前記加入者端末機は、前記次のスリープモードのスリープ期間を前記新たな最小ウィンドウ値に設定することを特徴とする請求項２記載の方法。
【請求項４】
前記スリープ期間が前記新たな最小ウィンドウ値に設定された後に、前記加入者端末機に伝送されるデータがない場合に、前記スリープ期間は、前記新たな最小ウィンドウ値から始めて、以前のスリープ期間を倍数演算することによって設定されることを特徴とする請求項３記載の方法。
【請求項５】
前記加入者端末機へ伝送されるデータが存在する場合に、前記加入者端末機の接続識別子（ＣＩＤ）とともに、前記トラヒック指示メッセージが伝送されることを特徴とする請求項１記載の方法。
【請求項６】
前記スリープ期間は、データのフレーム単位に設定されることを特徴とする請求項１記載の方法。
【請求項７】
前記最大ウィンドウ値及び最小ウィンドウ値は、前記基地局から前記加入者端末機にあらかじめ割り当てられることを特徴とする請求項２記載の方法。
【請求項８】
前記加入者端末機が前記最大ウィンドウ値の時間を経過した後に、聴取期間で前記基地局から受信されるデータがないことを示すメッセージを受信するステップと、
前記加入者端末機がスリープモードに遷移し、前記スリープモードに対するスリープ期間を最大ウィンドウ値に保持し、前記最大ウィンドウ値の反復回数を計算するステップと、
前記スリープ期間に前記最大ウィンドウ値を所定の回数だけ反復して適用し、前記加入者端末機が前記基地局に新たなウィンドウ値の割当てを要求するステップと、
前記基地局から前記新たなウィンドウ値を受信するステップと
を含むことを特徴とする請求項１記載の方法。
【請求項９】
前記最大ウィンドウ値の反復回数は、前記加入者端末機から前記基地局へ伝送されることを特徴とする請求項８記載の方法。
【請求項１０】
前記最大ウィンドウ値の反復回数は、スリープ要求メッセージに含まれたパラメータであることを特徴とする請求項９記載の方法。
【請求項１１】
加入者端末機が基地局へ送信するか、又は前記基地局から受信するデータが存在しないスリープモードと、前記加入者端末機が前記基地局へ送信するか、又は前記基地局から受信するデータが存在するアウェイクモードとを有する広帯域無線接続通信システムにおいて、前記加入者端末機が前記スリープモードの開始時点と前記アウェイクモードの開始時点との間のスリープ期間が与えられた最大ウィンドウ値に到達した後に、前記加入者端末機が次のスリープモードを設定する方法であって、
前記アウェイクモードの開始時点の後に、前記基地局から伝送されるデータがないことを示すトラヒック指示メッセージを受信するステップと、
前記次のスリープモードに対するスリープ期間を最大ウィンドウ値に設定した後に、前記次のスリープモードで動作するステップと
を含むことを特徴とする方法。
【請求項１２】
前記スリープ期間が前記最大ウィンドウ値に設定された後に、前記加入者端末機へ伝送されるデータがない場合に、前記スリープ期間を前記最大ウィンドウ値に保持することを特徴とする請求項１１記載の方法。
【請求項１３】
前記加入者端末機へ伝送されるデータの有無は、前記基地局から伝送されたトラヒック指示メッセージを介して判断されることを特徴とする請求項１２記載の方法。
【請求項１４】
前記加入者端末機へ伝送されるデータがある場合に、前記加入者端末機の接続識別子（ＣＩＤ）とともに、前記トラヒック指示メッセージが伝送されることを特徴とする請求項１３記載の方法。
【請求項１５】
前記スリープ期間は、データのフレーム単位に設定されることを特徴とする請求項１１記載の方法。
【請求項１６】
加入者端末機が基地局へ送信するか、又は前記基地局から受信するデータが存在しないスリープモードと、前記加入者端末機が前記基地局へ送信するか、又は前記基地局から受信するデータが存在するアウェイクモードとを有する広帯域無線接続通信システムにおいて、前記加入者端末機が前記スリープモードの開始時点と前記アウェイクモードの開始時点との間のスリープ期間が与えられた最大ウィンドウ値に到達した後に、前記加入者端末機が次のスリープモードを設定する方法であって、
前記アウェイクモードの開始時点の後に、前記基地局から伝送されるデータがないことを示すトラヒック指示メッセージを受信するステップと、
前記次のスリープモードに対するスリープ期間を与えられた最小ウィンドウ値に設定した後に、前記次のスリープモードで動作するステップと
を含むことを特徴とする方法。
【請求項１７】
前記スリープ期間が前記最小ウィンドウ値に設定された後に、前記加入者端末機へ伝送されるデータがない場合に、前記スリープ期間は、前記最小ウィンドウ値から始めて、以前のスリープ期間を倍数演算することによって設定されることを特徴とする請求項１６記載の方法。
【請求項１８】
前記加入者端末機へ伝送されるデータの有無は、前記基地局から伝送されたトラヒック指示メッセージを介して判断されることを特徴とする請求項１７記載の方法。
【請求項１９】
前記加入者端末機へ伝送されるデータがある場合に、前記加入者端末機の接続識別子（ＣＩＤ）とともに、前記トラヒック指示メッセージが伝送されることを特徴とする請求項１８記載の方法。
【請求項２０】
前記スリープ期間は、データのフレーム単位に設定されることを特徴とする請求項１６記載の方法。
【請求項２１】
前記最小ウィンドウ値から継続して倍数演算されたスリープ期間値が前記最大ウィンドウ値にさらに到達する場合、次のスリープ期間値を前記最小ウィンドウ値に設定するステップをさらに含むことを特徴とする請求項１６記載の方法。
【発明の詳細な説明】
【技術分野】
【０００１】
本発明は、広帯域無線接続通信システムに関し、特に、直交周波数分割多重方式を使用する広帯域無線接続通信システムのスリープモード及びアウェイクモード制御方法に関する。
【背景技術】
【０００２】
本発明は、広帯域無線接続通信システムに関し、特に、直交周波数分割多重（Orthogonal Frequency Division Multiplexing；ＯＦＤＭ）方式を使用する広帯域無線接続通信システムにおけるスリープモード及びアウェイクモードを制御するシステム及び方法に関する。
【０００３】
第４世代（4th Generation；以下‘４Ｇ’と称する。）通信システムでは、約１００Ｍｂｐｓの伝送速度を有する多様なサービス品質（Quality of Service；以下‘ＱｏＳ’と称する。）を有するサービスをユーザーに提供するための活発な研究が進められている。
【０００４】
一般的に、現在の第３世代（3rd Generation；以下‘３Ｇ’と称する。）通信システムは、比較的よくないチャンネル環境を有する室外チャンネル環境では、３８４ｋｂｐｓ程度の伝送速度を支援し、比較的良好なチャンネル環境を有する室内チャンネル環境でも最大２Ｍｂｐｓ程度の伝送速度を支援する。一方、無線近距離通信ネットワーク（Local Area Network；以下‘ＬＡＮ’と称する。）システム及び無線都市地域ネットワーク（Metropolitan Area Network；以下、‘ＭＡＮ’と称する。）システムは、一般的に、２０Ｍｂｐｓ〜５０Ｍｂｐｓの伝送速度を支援する。
【０００５】
従って、現在の４Ｇ通信システムでは、４Ｇ通信システムが提供しようとする高速サービスを支援するために、比較的高い伝送速度を支援する無線ＬＡＮシステム及び無線ＭＡＮシステムに対して、移動性（mobility）及び高いＱｏＳを保証する新たな通信システムに関する研究が活発になされている。
【０００６】
上記無線ＭＡＮシステムは、そのサービス領域（coverage）が広く、高速の伝送速度を支援するために高速通信サービスの支援には適している。しかしながら、ユーザー、すなわち、加入者端末機（Subscriber Station；ＳＳ）の移動性を考慮しないシステムであるので、加入者端末機の高速移動によるハンドオフ（handoff）もまったく考慮されていない。図１を参照して、上記無線ＭＡＮの標準スペックであるＩＥＥＥ８０２．１６ａ通信システムの構成について詳細に説明する。
【０００７】
図１は、従来の直交周波数分割多重（Orthogonal Frequency Division Multiplexing；ＯＦＤＭ）／直交周波数分割多重接続（Orthogonal Frequency Division Multiple Access；ＯＦＤＭＡ）（“ＯＦＤＭ／ＯＦＤＭＡ”と称する。）方式を使用する広帯域無線接続通信システムの構成を概略的に示す。より詳細には、図１は、ＩＥＥＥ８０２．１６ａ通信システムの構造を概略的に示す。
【０００８】
しかしながら、図１を説明する前に、無線ＭＡＮシステムは、広帯域無線接続（Broadband Wireless Access；ＢＷＡ）通信システムであって、無線ＬＡＮシステムよりもサービス領域が広く、さらに高速の伝送速度を支援することに注意すべきである。ＩＥＥＥ８０２．１６ａ通信システムは、無線ＭＡＮシステムの物理チャンネル（physical channel）に広帯域（broadband）伝送ネットワークを支援するために、ＯＦＤＭ方式とＯＦＤＭＡ方式とを適用した通信システムである。
【０００９】
すなわち、ＩＥＥＥ８０２．１６ａ通信システムは、ＯＦＤＭ／ＯＦＤＭＡ方式を使用する広帯域無線接続通信システムである。ＩＥＥＥ８０２．１６ａ通信システムは、無線ＭＡＮシステムにＯＦＤＭ／ＯＦＤＭＡ方式を適用するために、複数の副搬送波（sub-carrier）を使用して物理チャンネル信号を送信することによって高速のデータ送信の支援を可能にする。
【００１０】
一方、ＩＥＥＥ８０２．１６ｅ通信システムは、上述したＩＥＥＥ８０２．１６ａ通信システムの特性に加えて、加入者端末機の移動性をも考慮すべきであることを留意しなければならない。しかしながら、ＩＥＥＥ８０２．１６ｅ通信システムについては、具体的に規定されていない。上述したように、ＩＥＥＥ８０２．１６ｅ通信システムは、加入者端末機の移動性を考慮したシステムであるので、加入者端末機（Subscriber Station；ＳＳ）が、‘ＭＳ（Mobile Station）’又は‘ＭＳＳ（Mobile Subscriber Station）’を意味すると仮定する。すなわち、ＭＳ又はＭＳＳは、上記ＳＳに移動性を与えた概念で理解されることができる。
【００１１】
結果的に、ＩＥＥＥ８０２．１６ａ通信システム及びＩＥＥＥ８０２．１６ｅ通信システムのすべては、ＯＦＤＭ／ＯＦＤＭＡ方式を使用する広帯域無線接続通信システムである。図１を参照すると、ＩＥＥＥ８０２．１６ａ通信システムは、単一セル（single cell）構造を有し、基地局１００と、基地局１００が管理する複数の加入者端末機１１０，１２０，１３０とから構成される。基地局１００と加入者端末機１１０，１２０，１３０との間の信号の送受信は、ＯＦＤＭ／ＯＦＤＭＡ方式を使用して行われる。
【００１２】
上述したように、ＩＥＥＥ８０２．１６ａ通信システムは、現在加入者端末機が固定された状態、すなわち、加入者端末機の移動性を全く考慮しない状態と単一セル構造のみを考慮している。しかしながら、上述したように、ＩＥＥＥ８０２．１６ｅ通信システムは、ＩＥＥＥ８０２．１６ａ通信システムの特性に加えて加入者端末機の移動性を考慮する。従って、ＩＥＥＥ８０２．１６ｅシステムは、多重セル（multi-cell）環境での加入者端末機の移動性を考慮しなければならない。このように、多重セル環境での加入者端末機の移動性を提供するためには、加入者端末機及び基地局の動作が必然的に変更されなければならない。しかしながら、ＩＥＥＥ８０２．１６ｅ通信システムは、多重セル環境と加入者端末機の移動性を取り扱う何の方法も提案していない。
【００１３】
一方、ＩＥＥＥ８０２．１６ｅ通信システムにおいて、加入者端末機の移動性を考慮する場合、加入者端末機の電力消費は、システム全体の資源を管理する際に重要な要因として作用する。従って、加入者端末機の電力消費を最小化させるための加入者端末機と基地局との間のスリープモード（SLEEP MODE）動作及び上記スリープモード動作に対応するアウェイクモード（AWAKE MODE）動作が提案された。
【００１４】
図２を参照して、ＩＥＥＥ８０２．１６ｅ通信システムで現在提案しているスリープモード動作について詳細に説明する。
【００１５】
図２は、従来のＩＥＥＥ８０２．１６ｅ通信システムで提案しているスリープモード動作を概略的に示す。図２を説明するに先立って、まず、上記スリープモードは、パケットデータが伝送されないアイドル（idle）期間で加入者端末機の電力消費を最小化するために提案された。すなわち、上記スリープモードで、上記パケットデータが伝送されないアイドル期間での加入者端末機の電力消費を最小化させるために、加入者端末機と基地局は、スリープモードに遷移する。
【００１６】
一般的に、上記パケットデータは、バースト（burst）で発生するので、上記パケットデータが伝送されない期間でもパケットデータが伝送される期間と同一に動作されることは、不合理であるという理由で上記スリープモードが提案された。
【００１７】
しかしながら、上記基地局及び上記加入者端末機がスリープモード中に、送信パケットデータが発生すると、上記基地局及び上記加入者端末機は、アウェイクモードへ同時に状態遷移して、パケットデータを送受信しなければならない。
【００１８】
このようなスリープモード動作は、電力消費及びチャンネル信号間の干渉（interference）を最小化するための方案として提案された。しかしながら、上記パケットデータの特性は、主にトラヒック（traffic）に影響されるため、上記スリープモード動作は、上記パケットデータのトラヒック特性及び伝送方式などを考慮して適応的に遂行されなければならない。
【００１９】
図２を参照すると、まず、参照番号２１１は、パケットデータ発生（packet data generation）のパターンを示し、上記データパターンは、複数のオン（ＯＮ）期間とオフ（ＯＦＦ）期間とから構成される。上記オン期間は、パケットデータ、すなわち、トラヒックが発生するバースト期間であり、上記オフ期間は、トラヒックが発生しないアイドル期間である。このようなトラヒック発生パターン（pattern）に従って、加入者端末機は、スリープモード又はアウェイクモードに遷移して、加入者端末機の電力消費を最小化するとともに、チャンネル信号間の干渉を減少させることができる。
【００２０】
そして、参照番号２１３は、加入者端末機の状態遷移（state transition）（またはモード遷移（mode transition））形態を示し、複数のアウェイクモードとスリープモードとから構成される。上記アウェイクモードは、トラヒックが発生する状態を意味し、基地局と加入者端末機との間の実質的なパケットデータの送受信が遂行される。これと反対に、上記スリープモードは、トラヒックが発生しない状態を意味し、基地局と加入者端末機との間のパケットデータの送受信が遂行されない。
【００２１】
参照番号２１５は、加入者端末機の電力レベル（SS POWER LEVEL）形態を示す。図示するように、アウェイクモードの加入者端末機の電力レベルを‘Ｋ’として定義すると、スリープモードの加入者端末機の電力レベルは‘Ｍ’になる。アウェイクモードの加入者端末機の電力レベルＫとスリープモードの加入者端末機の電力レベルＭとを比較して見ると、上記Ｍ値がＫ値よりも非常に小さい。すなわち、上記スリープモードでは、パケットデータの送受信が遂行されないので、電力がほとんど消費されない。
【００２２】
スリープモード動作を支援するために、ＩＥＥＥ８０２．１６ｅ通信システムで現在提案している方式を説明すると下記の通りである。しかしながら、ＩＥＥＥ８０２．１６ｅ通信システムで現在提案している方式を説明する前に、次のような前提条件を説明する。
【００２３】
スリープモードに状態遷移するために、加入者端末機は、基地局からの状態遷移の承諾を受信しなければならず、基地局は、加入者端末機がスリープモードに状態遷移するように承諾すると、送信パケットデータのバッファリング又はドラッピング動作を遂行しなければならない。
【００２４】
また、基地局は、加入者端末機の聴取期間（LISTENING INTERVAL）の間に、加入者端末機に伝送されるパケットデータが存在することを通知しなければならず、このとき、加入者端末機は、スリープモードから復帰して（awaken）、基地局から自分に伝送されるべきパケットデータが存在するか否かを確認しなければならない。ここで、“聴取期間”は、下記で詳細に説明する。
【００２５】
基地局から自分に伝送されるパケットデータが存在することを感知すると、加入者端末機は、アウェイクモードに状態遷移して基地局からパケットデータを受信する。しかしながら、基地局から加入者端末機に伝送されるパケットデータが存在しないことを感知すると、加入者端末機は、スリープモードに戻るか、又はアウェイクモードをそのまま保持することができる。
【００２６】
スリープモードとアウェイクモード動作を支援するために必要とされるパラメータを説明すると、下記の通りである。
【００２７】
（１） スリープ期間（SLEEP INTERVAL）
【００２８】
上記スリープ期間は、加入者端末機が要請し、加入者端末機の要請に応じて基地局が割り当てる期間であって、加入者端末機がスリープモードへ状態遷移する時点からアウェイクモードに戻る時点までの期間（time interval）を示す。結果的に、加入者端末機がスリープモードに滞在する時間として定義される。
【００２９】
加入者端末機は、スリープ期間の後でも、スリープモードに持続的に存在することができる。この場合、予め設定されている最小ウィンドウ（ＭＩＮ―ＷＩＮＤＯＷ；minimum window）又は最大ウィンドウ（ＭＡＸ−ＷＩＮＤＯＷ；maximum window）値を用いて、指数関数的に増加するアルゴリズム（exponentially increasing algorithm）を遂行することによって、スリープ期間を更新（update）する。
【００３０】
ここで、最小ウィンドウ値は、スリープ期間の最小値であり、最大ウィンドウ値は、スリープ期間の最大値である。また、最小ウィンドウ値及び最大ウィンドウ値は、フレーム数で示され、基地局がすべて割り当てる。これらの値は、下記で詳細に説明する。
【００３１】
（２） 聴取期間（LISTENING INTERVAL）
【００３２】
聴取期間は、加入者端末機が要請し、加入者端末機の要請に応じて基地局が割り当てる期間であって、加入者端末機がしばらくの間スリープモードから復帰した後、基地局からの順方向リンク（downlink）信号に同期し、トラヒック指示（ＴＲＦ＿ＩＮＤ；traffic indication）メッセージのような順方向メッセージを受信する期間を示す。
【００３３】
ここで、トラヒック指示（ＴＲＦ＿ＩＮＤ）メッセージは、加入者端末機に伝送されるトラヒックメッセージ（すなわち、パケットデータが存在することを示すメッセージ）であって、下記で詳細に説明する。加入者端末機は、トラヒック指示メッセージの値に従って、上記アウェイクモードに滞在するか、又は、さらにスリープモードへ状態遷移するかを決定する。
【００３４】
（３） スリープ期間更新アルゴリズム（SLEEP INTERVAL UPDATE ALGORITHM）
【００３５】
加入者端末機は、スリープモードへ状態遷移すると、予め設定されている最小ウィンドウ値を最小スリープモード周期として見なし、スリープ期間を決定する。スリープ期間が経過した後、聴取期間の間に、加入者端末機がスリープモードから復帰して、基地局から伝送されるパケットデータが存在するか否かを確認する。基地局から伝送されるパケットデータが存在しないことが確認されると、加入者端末機は、スリープ期間を以前のスリープ期間 値より２倍長い値に設定し、継続してスリープモードに滞在する。
【００３６】
例えば、最小ウィンドウ値が‘２’である場合、加入者端末機は、スリープ期間を２フレームに設定した後、２フレームの間、スリープモードに滞在する。２フレームが経過した後、加入者端末機は、スリープモードから復帰してトラヒック指示メッセージが受信されるか否かを判断する。
【００３７】
上記トラヒック指示メッセージが受信されないと、すなわち、基地局から加入者端末機に伝送されるパケットデータが存在しないと判断されると、加入者端末機は、スリープ期間を２フレームの２倍である４フレームに設定した後に、上記４フレームの間スリープモードに滞在する。
【００３８】
このように、スリープ期間は、最小ウィンドウ値から最大ウィンドウ値まで増加し、スリープ期間を更新するアルゴリズムは、スリープ期間更新アルゴリズムになる。
【００３９】
上述したようなスリープモード動作とアウェイクモード動作とを支援するために、ＩＥＥＥ８０２．１６ｅ通信システムで現在定義しているメッセージは、下記の通りである。
【００４０】
（１） スリープ要求（ＳＬＰ＿ＲＥＱ；Sleep Request）メッセージ
【００４１】
スリープ要求メッセージは、加入者端末機から基地局に伝送され、加入者端末機がスリープモードへの状態遷移を要求するメッセージである。スリープ要求メッセージは、加入者端末機がスリープモードで動作するために要求されるパラメータ、すなわち、情報エレメント（Information Element；ＩＥ）を含み、スリープ要求メッセージフォーマット（format）は、下記表１の通りである。
【００４２】
【表１】
2006524929.tif 000003
【００４３】
スリープ要求メッセージは、加入者端末機の連結識別子（connection ID；ＣＩＤ）に基づいて伝送される専用メッセージ（dedicated message）であり、表１に示すスリープ要求メッセージの各情報エレメントについて説明すると、次の通りである。
【００４４】
まず、管理メッセージタイプ（MANAGEMENT MESSAGE TYPE）は、現在伝送されるメッセージのタイプを示す情報であって、管理メッセージタイプが４５である場合（MANAGEMENT MESSAGE TYPE=４５）、スリープ要求メッセージを示す。
【００４５】
最小ウィンドウ（ＭＩＮ−ＷＩＮＤＯＷ）値は、スリープ期間のために要求された開始値（start value requested for the SLEEP INTERVAL（measured in frames））を示し、最大ウィンドウ（ＭＡＸ−ＷＩＮＤＯＷ）値は、スリープ期間のために要求された終了値（stop value requested for the SLEEP INTERVAL（measured in frames））を示す。すなわち、スリープ期間更新アルゴリズム（SLEEP INTERVAL UPDATE ALGORITHM）について説明するように、スリープ期間は、最小ウィンドウ値から最大ウィンドウ値の内で更新されることができる。
【００４６】
また、聴取期間は、要求された聴取期間（requested LISTENING INTERVAL（measured in frames））を示す。また、聴取期間は、フレーム値で示される。
【００４７】
（２） スリープ応答（ＳＬＰ＿ＲＳＰ；Sleep-Response）メッセージ
【００４８】
スリープ応答メッセージは、スリープ要求メッセージに対する応答メッセージであって、加入者端末機が要求したスリープモードへの状態遷移を承諾するか否かを示すか、または、非要求指示（unsolicited instruction）を示す。すなわち、スリープ応答メッセージは、スリープ要求メッセージに対する応答メッセージであるだけではなく、スリープ要求メッセージを受信しなくても伝送可能な非要求（Unsolicited）メッセージである。
【００４９】
ここで、上記非要求指示を示すメッセージとして使用されるスリープ応答メッセージについて、下記で詳細に説明するので、ここでは、その詳細な説明を省略する。スリープ応答メッセージは、加入者端末機がスリープモードで動作するために必要とする情報エレメントを示す。スリープ応答メッセージフォーマットは、下記表２の通りである。
【００５０】
【表２】
2006524929.tif 000004
【００５１】
スリープ応答メッセージも加入者端末機の連結識別子を基準にして伝送される専用メッセージであり、表２に示すスリープ応答メッセージの各情報エレメントについて説明すると、次の通りである。
【００５２】
上記管理メッセージタイプは、現在伝送されるメッセージのタイプを示す情報であって、上記管理メッセージタイプが４６である場合（MANAGEMENT MESSAGE TYPE =４６）、上記スリープ応答メッセージを示す。
【００５３】
スリープ承諾（SLEEP-APPROVED）値は、１ビットで表現され、上記スリープ承諾値が‘０’である場合、スリープモードへの遷移要求が拒否されること（SLEEP-MODE REQUEST DENIED）を示し、上記スリープ承諾値が‘１’である場合、スリープモードへの遷移要求が承諾されること（SLEEP-MODE REQUEST APPROVED）を示す。また、上記スリープ承諾値が‘０’である場合、７ビットの予約（RESERVED）領域が存在し、上記スリープ承諾値が‘１’である場合、７ビットのタイム（START TIME）領域、６ビットの最小ウィンドウ領域、１０ビットの最大ウィンドウ領域、８ビットの聴取期間領域が存在する。
【００５４】
ここで、上記開始タイム値は、加入者端末機が第１のスリープ期間（the first SLEEP INTERVAL）に入るまで要求されるフレーム数を示し、上記スリープ応答メッセージを受信したフレームは含まれない。すなわち、加入者端末機は、上記スリープ応答メッセージを受信したフレームの次のフレームから上記開始タイム値に該当するフレームが経過した後、スリープモードへ状態遷移する。
【００５５】
また、最小ウィンドウ値は、スリープ期間のための開始値（start value for the SLEEP INTERVAL（measured in frames））を示し、最大ウィンドウ値は、スリープ期間のための終了値（stop value for the SLEEP INTERVAL（measured in frames））を示す。聴取期間は、聴取期間のための値（value for LISTENING INTERVAL（measured in frames））を示す。
【００５６】
（３） トラヒック指示（ＴＲＦ＿ＩＮＤ；Traffic Indication）メッセージ
【００５７】
上記トラヒック指示メッセージは、基地局が聴取期間 の間に加入者端末機に伝送されるメッセージであって、基地局が加入者端末機に伝送するパケットデータの存在を示すのに使用される。上記トラヒック指示メッセージのフォーマットは、下記表３の通りである。
【００５８】
【表３】
2006524929.tif 000005
【００５９】
上記トラヒック指示メッセージは、上記スリープ要求メッセージとスリープ応答メッセージとは異なり、ブロードキャスティング（broadcasting）方式にて伝送されるブロードキャスティングメッセージである。上記トラヒック指示メッセージは、基地局から所定の加入者端末機に伝送されるパケットデータが存在するか否かを示すメッセージであって、加入者端末機は、上記ブロードキャスティングされるトラヒック指示メッセージを聴取期間の間にデコーディングしてアウェイクモードへ状態遷移するか、または、上記スリープモードを持続的に保持するかを決定する。
【００６０】
加入者端末機がアウェイクモードへ遷移する場合、加入者端末機は、フレーム同期（frame sync）を確認し、加入者端末機が予想したフレームシーケンス番号（frame sequence number）とフレーム同期が一致しないと、アウェイクモードで損失されたパケットデータ（lost packet data）の再伝送を要求することができる。しかしながら、加入者端末機が聴取期間 の間に上記トラヒック指示メッセージを受信できないか、または、上記トラヒック指示メッセージを受信したとしても、ポジティブ指示（POSITIVE INDICATION）が含まれていないと、加入者端末機は、スリープモードに戻る。
【００６１】
すると、表３に示すトラヒック指示メッセージの各情報エレメントについて説明すると、次の通りである。まず、上記管理メッセージタイプ（MANAGEMENT MESSAGE TYPE）は、現在伝送されるメッセージのタイプを示す情報であって、上記管理メッセージタイプが４７である場合（MANAGEMENT MESSAGE TYPE = ４７）、上記トラヒック指示メッセージを示す。ポジティブ指示リスト（POSITIVE_INDICATION_LIST）は、ポジティブ加入者の個数（NUM-POSITIVE）と、上記ポジティブ加入者のそれぞれの連結識別子と、を含む。すなわち、上記ポジティブ指示リストは、パケットデータが伝送される加入者端末機の個数及びその連結識別子（connection identifier）を示す。
【００６２】
図３は、従来のＩＥＥＥ８０２．１６ｅ通信システムで提案している加入者端末機の要求に応じて、加入者端末機がスリープモードへ遷移する手順を示す信号フロー図である。
【００６３】
図３を参照すると、加入者端末機３００は、ステップ３１１で、スリープモードに遷移しようとする場合、基地局３５０にスリープ要求メッセージを伝送する。ここで、上記スリープ要求メッセージは、表１で説明したような情報エレメントを含む。加入者端末機３００から上記スリープ要求メッセージを受信した基地局３５０は、加入者端末機３００及び基地局３５０の状況を考慮して、加入者端末機３００がスリープモードへ状態遷移することを承諾するか否かを判断し、その判断結果に従って、ステップ３１３で、加入者端末機３００にスリープ応答メッセージを伝送する。
【００６４】
ここで、基地局３５０は、加入者端末機３００に伝送されるパケットデータが存在するか否かを考慮して、加入者端末機３００がスリープモードへ状態遷移することを承諾するか否かを決定する。表２で説明したように、基地局３５０が上記スリープモードへの状態遷移を承諾する場合、スリープ承諾値を‘１’に設定し、これと反対に、基地局３５０が上記スリープモードへの状態遷移を拒否する場合、スリープ承諾値を‘０’に設定する。上記スリープ応答メッセージに含まれる情報エレメントは、表２で説明した通りである。
【００６５】
基地局３５０からスリープ応答メッセージを受信した加入者端末機３００は、上記スリープ応答メッセージに含まれたスリープ承諾値を分析し、スリープモードへの状態遷移が承諾された場合、ステップ３１５で、スリープモードへ状態遷移する。しかしながら、上記スリープ応答メッセージに含まれたスリープ承諾値がスリープモードへの状態遷移の拒否を示す場合、加入者端末機３００は、現在のモード、すなわち、アウェイクモードを保持する。
【００６６】
また、加入者端末機３００は、上記スリープモードへ状態遷移するにつれて、上記スリープ応答メッセージから該当する情報エレメントを読み出してスリープモード動作を遂行する。
【００６７】
図４は、従来のＩＥＥＥ８０２．１６ｅ通信システムで提案している基地局の制御下に、加入者端末機がスリープモードへ遷移する手順を示す信号フロー図である。
【００６８】
しかしながら、図４を説明する前に、ＩＥＥＥ８０２．１６ｅ通信システムでは、上記スリープ応答メッセージを、非要求指示を示すメッセージとして使用する方案についても提案している。ここで、“非要求指示”とは、加入者端末機から別途の要求がないとしても、基地局の指示、すなわち、制御の下に、加入者端末機が動作することを意味し、図４では、加入者端末機が上記非要求指示に従ってスリープモードへ状態遷移する場合を示す。
【００６９】
図４を参照すると、ステップ４１１で、基地局４５０は、加入者端末機４００にスリープ応答メッセージを伝送する。ここで、上記スリープ応答メッセージは、表２で説明したような情報エレメントを含む。基地局４５０からスリープ応答メッセージを受信した加入者端末機４００は、上記受信されたスリープ応答メッセージに含まれたスリープ承諾（SLEEP-APPROVED）値を分析し、スリープ承諾値がスリープモードへの状態遷移の承諾を示す場合、ステップ４１３で、スリープモードへ状態遷移する。
【００７０】
図４において、上記スリープ応答メッセージが非要求指示メッセージとして使用されるので、上記スリープ承諾値は、‘１’のみで表現される。また、加入者端末機４００は、上記スリープモードへ状態遷移するにつれて、上記スリープ応答メッセージから該当する情報エレメントを読み出し、該当するスリープモード動作を遂行する。
【００７１】
図５は、従来のＩＥＥＥ８０２．１６ｅ通信システムで提案している基地局の制御下に、加入者端末機がアウェイクモードへ遷移する手順を示す信号フロー図である。
【００７２】
図５を参照すると、基地局５５０は、加入者端末機５００へ伝送されるトラヒック、すなわち、パケットデータが発生すると、ステップ５１１で、加入者端末機５００へトラヒック指示メッセージを伝送する。
【００７３】
ここで、上記トラヒック指示メッセージは、表３で説明したような情報エレメントを含む。基地局５５０からトラヒック指示メッセージを受信した加入者端末機５００は、上記トラヒック指示メッセージに上記ポジティブ指示（POSITIVE INDICATION）が存在するか否かを検査する。上記ポジティブ指示が存在する場合、加入者端末機５００は、上記トラヒック指示メッセージに含まれている連結識別子を読み出し、上記読み出された連結識別子が加入者端末機５００自身の連結識別子と一致するか否かを検査する。上記検査の結果、上記トラヒック指示メッセージに含まれた連結識別子が加入者端末機５００自身の連結識別子と一致する場合、ステップ５１３で、加入者端末機５００は、現在のモード、すなわち、スリープモードからアウェイクモードへ状態遷移する。
【００７４】
上記では、現在ＩＥＥＥ８０２．１６ｅ通信システムで提案しているスリープモード動作について説明した。次に、上述したスリープモード動作の問題点を説明すると、次の通りである。
【００７５】
（１） ネットワーク（network）で伝送されたパケットデータは、ジッタリング（jittering）及びノードバッファリング（node buffering）により伝送遅延されることができ、また、ネットワークロード（network load）の均衡（balancing）及びシステム容量（system capacity）の増加のために、上記基地局が加入者端末機をスリープモードへ状態遷移するように制御することができる。
【００７６】
現在のＩＥＥＥ８０２．１６ｅ通信システムは、上述したように、基地局が非要求指示メッセージ（例えば、スリープ応答メッセージ）を使用して、加入者端末機をスリープモードへ状態遷移することができるようにする方法を提案する。しかしながら、上記非要求指示メッセージに基づく加入者端末機のスリープモードへの状態遷移は、基地局の一方的な動作であるので、加入者端末機に対する応答メッセージを必要とする。
【００７７】
（２） 加入者端末機がスリープモードからアウェイクモードへ状態遷移を行う間にエラーが発生すると、基地局側のバッファリング問題によって致命的なパケットデータの損失をもたらすことがある。
【００７８】
現在のＩＥＥＥ８０２．１６ｅ通信システムは、上述したように、基地局がトラヒック指示メッセージを加入者端末機へ伝送して、上記加入者端末機がスリープモードからアウェイクモードへ状態遷移するように制御動作を遂行する。しかしながら、上記加入者端末機のスリープモードからアウェイクモードへの状態遷移も基地局の一方的な動作であるので、加入者端末機に対する応答メッセージを必要とする。
【００７９】
ここで、上記トラヒック指示メッセージに対する応答メッセージが必要な理由をさらに具体的に説明すると、次の通りである。
【００８０】
まず、基地局が伝送するパケットデータが発生するに従って、基地局は、加入者端末機へトラヒック指示メッセージを伝送し、上記トラヒック指示メッセージを伝送するに従って、上記基地局は、上記加入者端末機がスリープモードからアウェイクモードへ状態遷移を遂行したものと判断する。しかしながら、加入者端末機が伝送エラーにより上記トラヒック指示メッセージを受信することができなかった場合に、上記加入者端末機は、上記スリープモードに滞在する。
【００８１】
このとき、上記加入者端末機がアウェイクモードに状態遷移したものと判断するので、上記基地局は、上記加入者端末機にパケットデータを伝送したとしても、上述したように、上記加入者端末機は、継続してスリープモードに滞在する。従って、上記加入者端末機は、上記基地局が伝送したパケットデータを受信することができない。結果的に、上記基地局が伝送したパケットデータは損失される。従って、上記基地局が伝送したトラヒック指示メッセージに対する応答メッセージを必要とする。
【００８２】
（３） 上記加入者端末機がスリープモードからアウェイクモードへ状態遷移した後に、上記加入者端末機が受信されたパケットデータのシーケンス番号を損失するか、あるいは、上記受信されたパケットデータを損失する場合に、基地局は、上記損失されたパケットデータを上記加入者端末機へ再伝送しなければならない。このとき、上記パケットデータが損失されるか否かを判断するためには、データリンクレイヤーでのシーケンス再配列（Sequence reordering）を遂行して、上記損失されたパケットデータの再伝送を要求する必要があり、上記パケットデータの再伝送による相対的な遅延が発生し、それに従って、上記パケットデータの伝送性能の劣化を引き起こす。
【００８３】
一方、上述したように、上記スリープモードにある加入者端末機は、最小ウィンドウ値から始まるスリープ期間を設定し、上記スリープ期間を経過した後に、聴取期間の間に、基地局から伝送されたトラヒック指示メッセージに基づいて、上記加入者端末機自身に伝送されたパケットデータがあるか否かを確認する。上記加入者端末機の上記トラヒック指示メッセージを確認した結果として、上記加入者端末機自身に伝送されたパケットデータが存在しないことが確認されると、上記加入者端末機は、上記スリープ期間を以前のスリープ期間よりも２倍長い値に設定し、継続してスリープモードに滞在する。上記のような手順が反復されつつ、継続して伝送されるパケットデータが存在しない場合に、上記スリープ期間は、最大ウィンドウ値に到達する。
【００８４】
このように、上記スリープ期間が上記最大ウィンドウ値に到達する場合に、上記加入者端末機が遂行しなければならない動作に対しては、これまでは、定義されていない。従って、上記加入者端末機のスリープ期間値が上記最大ウィンドウ値に到達する場合に、パケット伝送環境を考慮した上記加入者端末機又は基地局の効率的な対応方案を必要とする。
【発明の開示】
【発明が解決しようとする課題】
【００８５】
上記背景に鑑みて、本発明の目的は、広帯域無線接続通信システムにおけるスリープ期間を設定する方法を提供することにある。
【００８６】
本発明の他の目的は、広帯域無線接続通信システムにおいて、スリープ期間が最大ウィンドウ値に到達する場合に、最大ウィンドウ値を保持するためのスリープ期間設定方法を提供することにある。
【００８７】
本発明のまた他の目的は、広帯域無線接続通信システムにおいて、スリープ期間が最大ウィンドウ値に到達する場合に、以前に割り当てられた最小ウィンドウ値を割り当てて適用するスリープ期間設定方法を提供することにある。
【００８８】
本発明のさらなる他の目的は、広帯域無線接続通信システムにおいて、スリープ期間が最大ウィンドウ値に到達する場合に、新たなウィンドウ値を基地局に要請して受信するスリープ期間設定方法を提供することにある。
【課題を解決するための手段】
【００８９】
このような目的を達成するために、本発明の１つの特徴によると、加入者端末機が基地局へ送信するか、又は上記基地局から受信するデータが存在しないスリープモードと、上記加入者端末機が上記基地局へ送信するか、又は上記基地局から受信するデータが存在するアウェイクモードとを有する広帯域無線接続通信システムにおいて、上記加入者端末機が上記スリープモードの開始時点と上記アウェイクモードの開始時点との間のスリープ期間が与えられた最大ウィンドウ値に到達した後に、上記加入者端末機が次のスリープモードを設定する方法は、上記アウェイクモードの開始時点の後に、上記基地局から伝送されるデータがないことを示すトラヒック指示メッセージを受信するステップと、スリープ要求メッセージを上記基地局へ伝送するステップと、上記基地局から上記スリープ要求メッセージに対する応答メッセージを受信するステップと、上記次のスリープモードで動作するステップとを含むことを特徴とする。
【００９０】
本発明の他の１つの特徴によると、加入者端末機が基地局へ送信するか、又は上記基地局から受信するデータが存在しないスリープモードと、上記加入者端末機が上記基地局へ送信するか、又は上記基地局から受信するデータが存在するアウェイクモードとを有する広帯域無線接続システムにおいて、上記加入者端末機が上記スリープモードの開始時点と上記アウェイクモードの開始時点との間のスリープ期間が与えられた最大ウィンドウ値に到達した後に、上記加入者端末機が次のスリープモードを設定する方法は、上記アウェイクモードの開始時点の後に、上記基地局から伝送されるデータがないことを示すトラヒック指示メッセージを受信するステップと、上記次のスリープモードに対するスリープ期間を最大ウィンドウ値に設定した後に、上記次のスリープモードで動作するステップとを含むことを特徴とする。
【００９１】
本発明のまた他の特徴によると、加入者端末機が基地局へ送信するか、又は上記基地局から受信するデータが存在しないスリープモードと、上記加入者端末機が上記基地局へ送信するか、又は上記基地局から受信するデータが存在するアウェイクモードとを有する広帯域無線接続システムにおいて、上記加入者端末機が上記スリープモードの開始時点と上記アウェイクモードの開始時点との間のスリープ期間が与えられた最大ウィンドウ値に到達した後に、上記加入者端末機が次のスリープモードを設定する方法は、上記アウェイクモードの開始時点の後に、上記基地局から伝送されるデータがないことを示すトラヒック指示メッセージを受信するステップと、上記次のスリープモードに対するスリープ期間を与えられた最小ウィンドウ値に設定した後に、上記次のスリープモードで動作するステップとを含むことを特徴とする。
【発明の効果】
【００９２】
本発明は、ＯＦＤＭ／ＯＦＤＭＡ方式を使用する広帯域無線接続通信システム、すなわち、ＩＥＥＥ８０２．１６ｅ通信システムにおけるスリープモード及びアウェイクモードで、スリープ期間を幾つかの方法にて設定することによって、スリープモードから不要に復帰することを防止し、その結果、効率的な電力管理を図ることができる、という長所がある。
【発明を実施するための最良の形態】
【００９３】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
【００９４】
図６は、本発明の実施形態によるＯＦＤＭ／ＯＦＤＭＡ方式を使用する広帯域無線接続通信システムの構造を概略的に示す図である。
【００９５】
しかしながら、図６を説明する前に、従来技術で説明したように、ＩＥＥＥ（Institute of Electrical and Electronics Engineers）８０２．１６ｅ通信システムは、ＩＥＥＥ８０２．１６ａ通信システムに加入者端末機（Subscriber Station；ＳＳ）の移動性（mobility）を考慮する通信システムであって、現在のところ具体的に提案されていない。
【００９６】
一方、ＩＥＥＥ８０２．１６ａ通信システムの特性に加えて、加入者端末機の移動性を考慮するために、ＩＥＥＥ８０２．１６ｅ通信システムは、多重セル（multi cell）構造と、この多重セル間の加入者端末機のハンドオフを考慮することができる。従って、本発明は、図６に示すようなＩＥＥＥ８０２．１６ｅ通信システムの構造を提案する。
【００９７】
そして、ＩＥＥＥ８０２．１６ｅ通信システムは、直交周波数分割多重（ＯＦＤＭ）方式及び直交周波数分割多重接続（ＯＦＤＭＡ）方式を使用する広帯域無線接続（Broadband Wireless Access；ＢＷＡ）通信システムであり、説明の便宜上、図６では、ＯＦＤＭ／ＯＦＤＭＡ方式を使用する広帯域無線接続通信システムがＩＥＥＥ８０２．１６ｅ通信システムの一例として説明される。
【００９８】
図６を参照すると、ＩＥＥＥ８０２．１６ｅ通信システムは、マルチセル構造（セル６００とセル６５０）を有し、セル６００を制御する基地局（Base Station；ＢＳ）６１０と、セル６５０を制御する基地局６４０と、複数の加入者端末機６１１、６１３、６３０、６５１、６５３と、から構成される。
【００９９】
基地局６１０、６４０と加入者端末機６１１、６１３、６３０、６５１、６５３との間の信号送受信は、ＯＦＤＭ／ＯＦＤＭＡ方式を使用して遂行される。しかしながら、加入者端末機６１１、６１３、６３０、６５１、６５３のうちの加入者端末機６３０は、セル６００とセル６５０との境界地域、すなわち、ハンドオフ領域に位置する。従って、ＩＥＥＥ８０２．１６ｅ通信システムは、加入者端末機６３０に対する移動性を支援するためには、加入者端末機６３０に対するハンドオフを支援しなければならない。
【０１００】
図６で説明したように、ＩＥＥＥ８０２．１６ｅ通信システムは、ＩＥＥＥ８０２．１６ａ通信システムの特性に加えて、加入者端末機の移動性を考慮しなければならないので、結果的に、加入者端末機の電力消費は、システム全体の重要な要因として作用する。従って、加入者端末機の電力消費を最小化させるために、加入者端末機と基地局との間のスリープモード(SLEEP MODE)動作及び上記スリープモード動作に対応するアウェイクモード(AWAKE MODE)動作が提案された。
【０１０１】
しかしながら、現在のＩＥＥＥ８０２．１６ｅ通信システムで提案している上記スリープモード動作及びアウェイクモード動作において、スリープ期間が最大ウィンドウ値に到達した後の動作に対する制御方法がない、という問題点がある。
【０１０２】
本発明の実施形態に従って、上記スリープ期間を設定する方法は、最大ウィンドウ値をスリープ期間値として継続して保持する方法と、上記スリープ期間値を最小ウィンドウ値に設定した後に、最大ウィンドウ値まで上記スリープ期間値を増加させる動作を継続して反復する方法とを含む。また、上記スリープ期間値が最大ウィンドウ値に到達すると、新たなスリープ期間を設定するためのスリープ要求メッセージを送信する方法を含むことができる。
【０１０３】
上述したように、本発明は、スリープ期間を設定するための方法に対する３つの実施形態を提示する。以下、上記３つの実施形態を図７から図１２を参照して詳細に説明する。
【０１０４】
第１の実施形態
【０１０５】
本発明による第１の実施形態として、図７及び図８を参照して、上記スリープ期間値を最大ウィンドウ（MAX-WINDOW）値に保持させる方法について説明する。
【０１０６】
一般に、スリープモードでスリープ期間が終了し、アウェイクモードへ遷移した後に、聴取期間内でトラヒック指示メッセージのネガティブ（negative）信号を受信すると、加入者端末機は、スリープモードへさらに遷移する。
【０１０７】
上記のように、加入者端末機がスリープモードから復帰した後に、データの送受信なしに、スリープモードへさらに遷移すると、基地局から伝送されるデータがない場合であるので、当分、伝送されるデータがない可能性が大きい。すると、上記スリープ期間が継続して２倍ずつ増加した後に、基地局があらかじめ指定した最大ウィンドウサイズに到達する。従って、本発明の第１の実施形態は、上記スリープ期間を上記最大ウィンドウ値に継続して保持する方法を提案する。
【０１０８】
上記のような方法に基づいて、上記加入者端末機と上記基地局との間のモードの変化及びスリープ期間の変化を図７に示す。
【０１０９】
図７を参照すると、スリープモード７１５にある加入者端末機７１１は、スリープ期間を最大ウィンドウ７１７に設定し、最大ウィンドウ７１７を経過した後に、アウェイクモード７１９で基地局７１３からトラヒック指示メッセージ７２１を受信する。
【０１１０】
一方、基地局７１３が伝送するデータがないので、加入者端末機７１１がトラヒック指示メッセージ７２１を介してネガティブ（negative）信号を受信すると、加入者端末機７１１及び基地局７１３は、スリープモード７２３へさらに遷移する。このとき、本発明の第１の実施形態に従って、上記スリープ期間は、上記以前のスリープ期間の最大ウィンドウ７２５を保持する。
【０１１１】
同一の方法にて、スリープモード７２３へさらに遷移した加入者端末機７１１は、上記スリープ期間（すなわち、最大ウィンドウ値）が経過した後に、アウェイクモード７２７へ遷移して、トラヒック指示メッセージをさらに確認する。
【０１１２】
加入者端末機７１１が上記トラヒック指示メッセージを介してネガティブ信号７２９を受信すると、加入者端末機７１１は、スリープモード７３１へさらに遷移し、上述したように、上記スリープ期間を最大ウィンドウ７３３に継続して保持する。
【０１１３】
結果的に、上記スリープ期間が基地局７１３が設定した最大ウィンドウ値に到達したので、これ以上のスリープ期間の増加はなく、加入者端末機７１１が基地局７１３からトラヒック指示メッセージを介してポジティブ（positive）信号を受信するときまで、上記スリープ期間を最大ウィンドウ値に固定させる。
【０１１４】
図８は、本発明の第１の実施形態に従う加入者端末機７１１での処理手順を示すフローチャートである。図８を参照すると、ステップ８１１で、加入者端末機７１１は、スリープ期間を最大ウィンドウ値に設定した後にスリープモードに進入する。このとき、現在のスリープフレーム（current sleep frame）は、‘０’に新たに設定され、ステップ８１５で、１つのフレームが増加する度に、上記現在のスリープフレーム値も１つずつ増加する。上記現在のスリープフレーム値は、加入者端末機７１１がスリープモードへ遷移した後に、フレーム単位にカウント（count）された値を意味する。従って、上記スリープ期間に到達するときまで、上記現在のスリープフレーム値は、カウントされた後に‘０’にさらに設定される。
【０１１５】
一方、ステップ８１３で、上記現在のスリープフレーム値が上記スリープ期間に到達する場合に、加入者端末機７１１は、ステップ８１７で、アウェイクモードに遷移して、基地局７１３が送信した信号を受信する。
【０１１６】
このとき、加入者端末機７１１は、基地局７１３からトラヒック指示メッセージを受信することができ、上記トラヒック指示メッセージは、基地局７１３が加入者端末機７１１へ送信するデータの有無を知らせる情報（すなわち、ネガティブ又はポジティブ情報）を含む。
【０１１７】
基地局７１３が加入者端末機７１１へ送信するデータが存在する場合に、すなわち、ステップ８１９で、上記トラヒック指示メッセージにポジティブ（positive）情報が含まれる場合に、ステップ８２１で、加入者端末機７１１は、アウェイクモードを保持して、基地局７１３とデータを送受信する。
【０１１８】
一方、上記トラヒック指示メッセージ内にネガティブ（negative）メッセージが含まれると、加入者端末機７１１は、ステップ８２３で、スリープモードへさらに遷移する。このような状態で、上記スリープ期間値が最大ウィンドウ値に到達したので、加入者端末機７１１が上記スリープモードへさらに遷移するとしても、ステップ８２３で、本発明の第１の実施形態に従って、上記スリープ期間を最大ウィンドウ値に保持する。
【０１１９】
従って、上記現在のスリープフレームが‘０’から最大ウィンドウまで増加する間に、加入者端末機７１１は、スリープモードを保持し、基地局７１３が伝送するデータが存在するので、アウェイクモードで、トラヒック指示メッセージを介してポジティブ情報を受信するときまで、上記スリープ期間を最大ウィンドウ値に継続して保持する。
【０１２０】
同一の方法にて、ステップ８２５で、上記現在のスリープフレーム値がスリープ期間、すなわち、最大ウィンドウに到達しなかった場合に、加入者端末機７１１は、ステップ８２７で、フレームが経過する度に、上記現在のスリープフレーム値を１つずつ増加させる。しかしながら、上記現在のスリープフレーム値が上記スリープ期間に到達した場合に、加入者端末機７１１は、アウェイクモードに遷移して、基地局７１３から送信されたトラヒック指示メッセージを確認する過程を反復する。
【０１２１】
例えば、最小ウィンドウ値が２ｍｓであり、最大ウィンドウ値が５秒であり、基地局７１３から伝送されるデータがないため、加入者端末機７１１がトラヒック指示メッセージを介してネガティブ情報を継続して受信すると仮定する。このとき、最初にスリープモードへ遷移する時、スリープ期間は２ｍｓになり、その後に、上記スリープ期間は、４ｍｓ、８ｍｓ、及び１６ｍｓに２倍ずつ増加する。このように、上記スリープ期間が継続して増加して５秒に到達すると、上記スリープ期間は、継続して５秒に保持される。
【０１２２】
すなわち、本発明の第１の実施形態に従って、上記スリープ期間が最大ウィンドウ値に到達した後に、加入者端末機７１１がさらにスリープモードへ遷移する場合に、上記スリープ期間は、継続して最大ウィンドウ値を保持する。
【０１２３】
一方、上記のような方法は、変形も可能である。上記変形された方法は、上記スリープ期間を上記最大ウィンドウ値に継続して設定する代わりに、上記最大ウィンドウ値が一定の回数の間に反復されると、上記スリープ期間を再設定することができる。
【０１２４】
例えば、上記スリープ期間が上記最大ウィンドウ値に到達した後に、上記スリープ期間が上記最大ウィンドウ値で５回反復された場合に、上記スリープ期間は、最小ウィンドウと最大ウィンドウとの間の値に再設定されることができる。上記方法は、不規則なトラヒック伝送の間さらに効率的であることもある。
【０１２５】
第２の実施形態
【０１２６】
以下、本発明による第２の実施形態として、図９及び図１０を参照して、上記スリープ期間を最小ウィンドウ（MIN-WINDOW）値に設定した後に、最大ウィンドウ値まで増加させる過程を反復する方法について説明する。
【０１２７】
基地局は、送信するデータがない場合に、ネガティブ情報を含むトラヒック指示メッセージを加入者端末機へ伝送し、上記メッセージを受信した加入者端末機は、継続してスリープモードに滞在する。しかしながら、上記基地局が送信するデータが実時間のデータではないので、上記データは、発生頻度の側面でランダムな特性を有する。
【０１２８】
従って、上記スリープ期間が上記最大ウィンドウに到達すると、上記スリープ期間を上記最小ウィンドウにさらに設定した後に、２倍ずつ増加させる方法を考慮することができる。
【０１２９】
図９は、本発明の第２実施形態に従って、スリープ期間が最大ウィンドウ値に到達した場合に、上記スリープ期間を最小ウィンドウ値にさらに設定する手順を示す図である。
【０１３０】
図９を参照すると、スリープモードへ遷移した加入者端末機９１１が最大ウィンドウ値のスリープ期間を有する場合を仮定する。従って、上記スリープモード９１５へ遷移した加入者端末機９１１は、最大ウィンドウ値９１７が経過した後に、アウェイクモード９１９へ遷移した後に、基地局９１３からトラヒック指示メッセージ９２１を受信する。一方、上述したように、基地局９１３が伝送したトラヒック指示メッセージは、送信データの有無を示すポジティブ又はネガティブ情報を含む。
【０１３１】
加入者端末機９１１がアウェイクモードで受信した上記トラヒック指示メッセージからネガティブ情報を確認すると、加入者端末機９１１は、スリープモード９２３へさらに遷移する。このとき、加入者端末機９１１のスリープ期間を決定しなければならず、本発明による第２の実施形態は、上記スリープ期間が最大ウィンドウに到達した後に、上記スリープ期間を最小ウィンドウ値にさらに設定する方法を提案する。一方、上記最大ウィンドウ及び最小ウィンドウ値は、上述したように、基地局９１３があらかじめ決定して貯蔵した値であるので、加入者端末機９１１は、このような値を以前に認知する。
【０１３２】
従って、上記スリープ期間が上記最大ウィンドウ値に到達した後に、加入者端末機９１１がスリープモードへさらに遷移する場合に、上記スリープ期間は、加入者端末機９１１がすでに認知している最小ウィンドウ値９２５に再設定される。すなわち、上記スリープ期間が最小ウィンドウ値に再設定され、スリープモード９２３へ遷移した場合に、加入者端末機９１１は、最小ウィンドウ値９２５の間のスリープモードを保持する。上記最小ウィンドウ値の時間が経過した後に、加入者端末機９１１は、９２９で、アウェイクモード９２７に遷移して、基地局９１３が伝送したトラヒック指示メッセージを確認する。
【０１３３】
上記受信されたトラヒック指示メッセージにネガティブ情報が含まれていると、基地局９１３から伝送されるデータがないので、スリープモード９３１へさらに遷移する。このとき、９３３で、上記スリープ期間は、以前のスリープ期間である上記最小ウィンドウ値の２倍（すなわち、ＳＬＥＥＰ ＩＮＴＥＲＶＡＬ＝２＊ＭＩＮ−ＷＩＮＤＯＷ）の値に設定される。
【０１３４】
すなわち、上記スリープ期間が上記最小ウィンドウ値の２倍に設定され、スリープモード９３１に遷移した場合に、加入者端末機９１１は、上記最小ウィンドウ値９３３の２倍の時間の間スリープモードを保持する。上記最小ウィンドウ値９３３の２倍の時間が経過した後に、加入者端末機９１１は、９３７で、アウェイクモード９３５へ遷移して、基地局９１３から伝送されたトラヒック指示メッセージを確認する。
【０１３５】
同様に、上記トラヒック指示メッセージにネガティブ情報が含まれる場合に、スリープモード９３９へさらに遷移して、上記手順を反復する。同一の方法にて、上記スリープ期間が経過した後に、上記スリープモードが保持される場合に、上記スリープ期間は、上記最小ウィンドウ値の４倍、８倍、及び１６倍に増加する。その結果、第２の実施形態は、上記スリープ期間が継続して増加して、上記最大ウィンドウ値に到達するときまで、基地局９１３からポジティブ情報を受信しなければ、さらに上記スリープ期間を上記最小ウィンドウ値に再設定する過程を反復する。
【０１３６】
図１０は、本発明の第２の実施形態による加入者端末機が遂行する動作を示すフローチャートである。図１０を参照すると、最初のスリープ期間が最大ウィンドウに到達するまで遂行された過程は、図８に関連して説明した該当過程と同一である。すなわち、ステップ１０１１で、スリープモードにある加入者端末機９１１のスリープ期間が最大ウィンドウ値に設定された場合に、ステップ１０１３及びステップ１０１５で、現在のスリープフレーム値は、フレームが経過する度に、‘０’から上記最大ウィンドウ値まで１つずつ増加される。
【０１３７】
一方、上記現在のスリープフレームが増加して、上記スリープ期間（すなわち、最大ウィンドウ値）に到達する場合に、加入者端末機９１１は、ステップ１０１９で、アウェイクモードに遷移して、基地局９１３から受信されたトラヒック指示メッセージを確認する。
【０１３８】
上記確認の結果、上記受信されたトラヒック指示メッセージにポジティブ情報が含まれていると、基地局９１３から伝送されるデータがあることを意味する。この場合、加入者端末機９１１は、ステップ１０２３で、基地局９１３とのデータ通信を遂行する。
【０１３９】
一方、上記受信されたトラヒック指示メッセージにネガティブ情報が含まれていると、加入者端末機９１１は、スリープモードにさらに遷移し、上記スリープ期間を再設定する。以前のスリープ期間が上記最大ウィンドウ値に設定されたので、次のスリープ期間は、上述したように、本発明の第２の実施形態に従って最小ウィンドウ値に設定される。
【０１４０】
ここで、ステップ１０１７で、Ｋ値は、本発明の実施形態に従って、上記スリープモードが反復される度に、上記スリープ期間を２倍ずつ増加させるための変数に設定される。従って、上記Ｋ値が最初‘０’に設定された後に、上記スリープ期間が反復される度に、上記Ｋ値が１つずつ増加する。結果的に、上記スリープ期間は、ステップ１０２５で、上記最小ウィンドウの２倍、４倍、及び８倍に増加する。
【０１４１】
従って、ステップ１０２９で、フレームが経過する度に、現在のスリープフレーム値が１つずつ増加して、スリープ期間に到達すると、加入者端末機９１１は、ステップ１０１９で、アウェイクモードに遷移して、基地局９１３からトラヒック指示メッセージを受信する。上記受信されたトラヒック指示メッセージにネガティブ情報が含まれていると、加入者端末機９１１は、上記スリープ期間を２倍ずつ増加させる。一方、上記スリープ期間が継続して増加して、上記最大ウィンドウ値に到達すると、加入者端末機９１１は、上記スリープ期間を最小ウィンドウ値にさらに再設定した後に、上記過程を反復する。
【０１４２】
例えば、最小ウィンドウ値が２ｍｓであり、最大ウィンドウ値が５秒であり、基地局から伝送されるデータがないため、加入者端末機９１１は、トラヒック指示メッセージを介してネガティブ情報を継続して受信すると仮定する。このとき、最初にスリープモードに遷移する場合に、スリープ期間は、２ｍｓになり、その後に、上記スリープ期間は、４ｍｓ、８ｍｓ、及び１６ｍｓに２倍ずつ増加する。このように、上記スリープ期間が継続して増加して５秒に到達すると、次のスリープ期間は、上記最小ウィンドウ値である２ｍｓにさらに設定される。この後に、加入者端末機９１１は、４ｍｓ、８ｍｓ、及び１６ｍｓに２倍ずつ増加させる過程を反復する。上記スリープ期間が継続して増加して、上記最大ウィンドウ値に到達する場合に、同一の方法にて、上記スリープ期間をさらに設定して、上記最小ウィンドウ値から増加させる。
【０１４３】
すなわち、本発明による第２の実施形態は、上記スリープ期間が上記最大ウィンドウ値に到達した後に、スリープモードにさらに遷移する場合に、上記スリープ期間を最小ウィンドウ値から増加させる過程を反復する方法を提案する。
【０１４４】
第３の実施形態
【０１４５】
以下、本発明による第３の実施形態として、図１１及び図１２を参照して、上記スリープ期間が最大ウィンドウ値に到達する場合に、新たなメッセージとして上記スリープ期間を再設定する方法について説明する。
【０１４６】
正常の状況では、スリープ期間が最小ウィンドウで２倍ずつ増加しつつ、基地局が送信するデータが存在しない場合に、上記スリープ期間が最大ウィンドウに到達する。このとき、加入者端末機が受信するデータの頻度が格段に減少されることがあるので、最小ウィンドウ値及び最大ウィンドウ値を増加させることが望ましい。すなわち、新たなスリープ期間を設定する必要がある。
【０１４７】
図１１は、スリープ期間が最大ウィンドウに到達する場合に、上記加入者端末機がスリープ要求メッセージを送信することによって、新たなスリープ期間の設定を要求する手順を示す図である。上記第１及び第２の実施形態で説明したように、上記スリープ期間が最大ウィンドウ値１１１７に到達した後に、アウェイクモード１１１９に遷移して、基地局１１１３から受信されたトラヒック指示メッセージＴＲＦ＿ＩＮＤ１１２１からネガティブ情報を確認すると、加入者端末機１１１１は、スリープモード１１２７へ遷移する。
【０１４８】
しかしながら、上記第１及び第２の実施形態では、加入者端末機１１１１が上記スリープ期間を自体的に再設定する一方、第３の実施形態では、基地局１１１３へスリープ要求メッセージＳＬＰ＿ＲＥＱ１１２３を送信することによって、スリープ期間の再設定を要求する。加入者端末機１１１１からスリープ要求メッセージＳＬＰ＿ＲＥＱ１１２３を受信すると、基地局１１１３は、適切なスリープ期間を設定し、上記設定されたスリープ期間をスリープ応答メッセージＳＬＰ＿ＲＳＰ１１２５を介して加入者端末機１１１１へ通知する。
【０１４９】
すると、加入者端末機１１１１は、上記受信されたスリープ応答メッセージ１１２５に含まれたスリープ期間の新たな最小ウィンドウ値（NEW MIN-WINDOW）１１２９だけスリープモード１１２７を保持した後に、アウェイクモード１１３１にさらに遷移する。加入者端末機１１１１がアウェイクモード１１３１へ遷移した後に、トラヒック指示メッセージ１１３３を介してネガティブ情報を確認すると、加入者端末機１１１１は、スリープモード１１３５にさらに遷移する。このとき、上記スリープ期間は、以前に設定された新たな最小ウィンドウ値の２倍（２＊NEW MIN-WINDOW）の値に設定される。
【０１５０】
従って、スリープモード１１３５にある加入者端末機１１１１は、上記新たな最小ウィンドウ値の２倍値１１３７だけの時間が経過した後に、アウェイクモード１１３９へ遷移する。アウェイクモード１１３９で、加入者端末機１１１１は、基地局１１１３からトラヒック指示メッセージ１１４１を受信し、ネガティブ情報が上記受信されたトラヒック指示メッセージ１１４１に含まれる場合に、加入者端末機１１１１は、スリープモード１１４３へさらに遷移する。
【０１５１】
この後、上記スリープ期間は、上記新たに設定された最小ウィンドウ値の倍数（すなわち、２倍、４倍、８倍）値に増加する。上記スリープ期間が継続して増加して、新たに設定された最大ウィンドウ値に到達すると、上記スリープ期間は、上記新たに設定された最小ウィンドウ値に反復して再設定されることができる。一方、他の方法にて、上記スリープ期間が上記最大ウィンドウ値に到達する場合に、上記スリープ期間は、他の新たな最大ウィンドウ及び最小ウィンドウ値に設定されることもできる。このとき、同一の方法にて、加入者端末機１１１１は、スリープ要請メッセージを基地局１１１３へ伝送しなければならない。
【０１５２】
図１２は、スリープ期間が最大ウィンドウ値に到達する場合に、加入者端末機がスリープ要求メッセージを基地局へ送信することによって、新たなスリープ期間を設定する手順を示すフローチャートである。
【０１５３】
図１２を参照すると、最初のスリープ期間が最大ウィンドウ値に到達するまで遂行された過程は、図８及び図１０に関連して説明した該当過程と同一である。加入者端末機１１１１が、スリープモードに進入すると、現在のスリープフレーム値は、‘０’に新たに設定される。ステップ１２１５で、１つのフレームが経過する度に、上記現在のスリープフレーム値も１つずつ増加され、ステップ１２１３で、上記現在のスリープフレーム値が現在設定されたスリープ期間に到達する場合に、加入者端末機１１１１は、ステップ１２１７で、アウェイクモードへ遷移し、ステップ１２１９で、基地局１１１３が送信した信号を受信する。
【０１５４】
上述したように、基地局１１１３が送信した信号は、トラヒック指示メッセージを含み、上記トラヒック指示メッセージは、基地局１１１３が加入者端末機１１１１へ送信するデータの有無を知らせる信号を含む。基地局１１１３が加入者端末機１１１１へ送信するデータが存在する場合に、上記トラヒック指示メッセージにはポジティブ信号が含まれ、ステップ１２２１で、加入者端末機１１１１は、アウェイクモードを保持し、データの送受信を遂行する。
【０１５５】
一方、上記トラヒック指示メッセージにネガティブメッセージが含まれると、加入者端末機１１１１は、スリープモードへさらに遷移する。本発明による第３の実施形態では、上記第１及び第２の実施形態とは異なって、スリープ期間値が最大ウィンドウに到達し、スリープモードへさらに遷移する場合に、加入者端末機１１１１は、新たなスリープ期間を設定する必要性を認知し、ステップ１２２３で、アウェイクモードで新たなスリープ期間の設定を要求するスリープ要求メッセージを基地局１１１３へ送信する。
【０１５６】
加入者端末機１１１１から新たなスリープ期間を要求するスリープ要求メッセージを受信すると、基地局１１１３は、ステップ１２２５で、適切な新たなスリープ期間を含むスリープ応答メッセージを加入者端末機１１１１へ送信する。
【０１５７】
第３の実施形態では、上記第２の実施形態と同様に、スリープモードの反復回数に従って、スリープ期間を以前のスリープ期間の２倍値だけ増加させなければならないので、ステップ１２２９で、スリープモードの反復回数を示す変数Ｋを設定し、上記スリープ期間が最大ウィンドウ値に到達すると、上記Ｋ値を‘０’に設定する。
【０１５８】
一方、加入者端末機１１１１は、ステップ１２３１で、スリープモードへ遷移した後に、スリープ期間を以前の最小ウィンドウ値ではなく、上記スリープ応答メッセージを介して新たに設定された最小ウィンドウ値に設定する。ステップ１２３３で、上記現在のスリープフレーム値が上記新たな最小ウィンドウに到達すると、加入者端末機１１１１は、ステップ１２３７で、アウェイクモードに遷移し、ステップ１２３９で、基地局が送信したトラヒック指示メッセージを受信する。上述したように、上記トラヒック指示メッセージにネガティブ信号が含まれると、加入者端末機１１１１は、ステップ１２３１で、基地局１１１３が伝送するデータがないことを感知し、スリープモードへさらに遷移する。
【０１５９】
このとき、スリープモードがもう一度反復されるので、ステップ１２３１で、上記スリープ期間は、Ｋ値が‘１’に設定され、上記スリープ期間は、ステップ１２３１で、上記スリープ応答メッセージを介して受信された新たな最小ウィンドウ値の２倍値に増加される。
【０１６０】
一方、ステップ１２３５で、フレームが経過するに従って、上記現在のスリープフレームも増加し、ステップ１２３３で、上記現在のスリープフレーム値が現在設定されたスリープ期間に到達すると、加入者端末機１１１１は、ステップ１２３７で、スリープモードからアウェイクモードへ遷移する。上述したように、上記アウェイクモードへ遷移した加入者端末機１１１１は、ポジティブ信号がトラヒック指示メッセージから確認されるときまで上記過程を反復する。
【０１６１】
上記スリープ期間が上記新たに設定された最大ウィンドウ値にさらに到達すると、加入者端末機１１１１は、他のスリープ期間の設定を要求するスリープ要求メッセージを送信し、受信されたスリープ応答メッセージに含まれた新たなスリープ期間を適用することによって、上記過程を反復する。
【０１６２】
他の方法では、本発明による第３の実施形態を変形することもできる。上記変形された実施形態において、上記スリープ期間が上記最大ウィンドウ値に到達した後に、基地局１１１３からトラヒック指示メッセージを介してネガティブ情報を受信すると、加入者端末機１１１１は、上記スリープ要求メッセージを直接に伝送する代わりに、加入者端末機１１１１のスリープ期間を上記最大ウィンドウ値に設定し、一定の回数だけステップ１２１１からステップ１２１９の過程を反復した後に、上記スリープ要求メッセージを送信する。
【０１６３】
この場合に、下記表４に示すＲＥＴＲＹ ＭＡＸ−ＷＩＮＤＯＷ ＮＵＭを介して反復回数を基地局１１１３へ通知するために、基地局１１１３は、加入者端末機１１１１のスリープ期間が最大ウィンドウ値に到達したことを認知し、上記スリープ期間を再設定する時に上記値を考慮する。
【０１６４】
【表４】
2006524929.tif 000006
【０１６５】
表４から分かるように、ＲＥＴＲＹ ＭＡＸ−ＷＩＮＤＯＷ ＮＵＭが従来のスリープ要求メッセージに付加される。すなわち、加入者端末機１１１１のスリープ期間が上記最大ウィンドウ値に到達して、新たな最小ウィンドウ及び最大ウィンドウ値の割当てを受けようとする場合に、加入者端末機１１１１は、上記貯蔵された最大ウィンドウ値の反復値を表４のスリープ要求メッセージを介して伝送することができる。
【０１６６】
上記スリープ要請メッセージを受信した基地局１１１３は、スリープ応答メッセージを介して新たな最大ウィンドウ及び最小ウィンドウ値を加入者端末機１１１１に割り当てる。
【０１６７】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【０１６８】
【図１】ＯＦＤＭ／ＯＦＤＭＡ方式を使用する広帯域無線接続通信システムの構成を概略的に示す図である。
【図２】ＩＥＥＥ８０２．１６ｅ通信システムで提案しているスリープモード動作を概略的に示す図である。
【図３】ＩＥＥＥ８０２．１６ｅ通信システムで提案している加入者端末機の要求に応じて、加入者端末機がスリープモードへ状態遷移する手順を示す信号フロー図である。
【図４】ＩＥＥＥ８０２．１６ｅ通信システムで提案している基地局の制御下に、加入者端末機がスリープモードへ状態遷移する手順を示す信号フロー図である。
【図５】ＩＥＥＥ８０２．１６ｅ通信システムで提案している基地局の制御下に、加入者端末機がアウェイクモードへ状態遷移する手順を示す信号フロー図である。
【図６】本発明の実施形態によるＯＦＤＭ／ＯＦＤＭＡ方式を使用する広帯域無線接続通信システムの構成を概略的に示す図である。
【図７】本発明の第１の実施形態によるスリープ期間が最大ウィンドウ値に到達した場合に、スリープ期間を最大ウィンドウ値に保持する手順を示す信号フロー図である。
【図８】本発明の第１の実施形態によるスリープ期間が最大ウィンドウ値に到達した場合に、加入者端末機がスリープ期間を最大ウィンドウ値に保持する手順を示すフローチャートである。
【図９】本発明の第２の実施形態によるスリープ期間が最大ウィンドウ値に到達した場合に、スリープ期間を最小ウィンドウ値にさらに設定する手順を示す信号フロー図である。
【図１０】本発明の第２の実施形態によるスリープ期間が最大ウィンドウ値に到達した場合に、加入者端末機がスリープ期間を最小ウィンドウ値にさらに設定する手順を示すフローチャートである。
【図１１】本発明の第３の実施形態によるスリープ期間が最大ウィンドウ値に到達した場合に、新たなスリープ期間の設定を要求する手順を示す信号フロー図である。
【図１２】本発明の第３の実施形態によるスリープ期間が最大ウィンドウ値に到達した場合に、加入者端末機が新たなスリープ期間の設定を要求する手順を示すフローチャートである。
【符号の説明】
【０１６９】
６００，６５０  セル
６１０，６４０  基地局
６１１，６１３，６３０，６５１，６５３  加入者端末機
【図１】
2006524929.tif 000007
【図２】
2006524929.tif 000008
【図３】
2006524929.tif 000009
【図４】
2006524929.tif 000010
【図５】
2006524929.tif 000011
【図６】
2006524929.tif 000012
【図７】
2006524929.tif 000013
【図８】
2006524929.tif 000014
【図９】
2006524929.tif 000015
【図１０】
2006524929.tif 000016
【図１１】
2006524929.tif 000017
【図１２】
2006524929.tif 000018
【国際調査報告】
2006524929.tif 000019
2006524929.tif 000020